(57)【要約】【課題】点灯開始時の光色を、ユーザーが所望する光色に設定することができる照明器具を提供する。【解決手段】照明器具１００は、外部スイッチＳにより点灯及び消灯を切り替え可能である。照明器具１００は、光源部２００と、記憶部１５０と、制御部１４０とを備える。光源部２００は、互いに光色が異なる複数種類の光を選択的に発生する。記憶部１５０は、初期光色を記憶する。初期光色は、点灯開始時における光源部２００の光色を示す。制御部１４０は、点灯開始時に、光源部２００の光色が初期光色となるように光源部２００の点灯状態を制御する。制御部１４０は、外部スイッチＳに対して実行された設定操作に応じて、複数種類の光の光色のうちから初期光色を決定する。【選択図】図１
2020187823.tif 000002
【特許請求の範囲】
【請求項１】
外部スイッチにより点灯及び消灯を切り替え可能な照明器具であって、
互いに光色が異なる複数種類の光を選択的に発生する光源部と、
点灯開始時における前記光源部の光色を示す初期光色を記憶する記憶部と、
点灯開始時に、前記光源部の光色が前記初期光色となるように前記光源部の点灯状態を制御する制御部と
を備え、
前記制御部は、前記外部スイッチに対して実行された設定操作に応じて、前記複数種類の光の光色のうちから前記初期光色を決定する、照明器具。
【請求項２】
前記制御部は、点灯開始時から第１規定時間経過以後に実行された前記設定操作に応じて前記初期光色を決定する、請求項１に記載の照明器具。
【請求項３】
前記制御部は、点灯開始時から第２規定時間経過以前に実行された前記設定操作に応じて前記初期光色を決定する、請求項１又は請求項２に記載の照明器具。
【請求項４】
前記外部スイッチは、前記光源部を点灯させる点灯操作と、前記光源部を消灯させる消灯操作とを受け付け、
前記設定操作は、所定時間内に前記点灯操作と前記消灯操作とが実行される操作である、請求項１から請求項３のいずれか１項に記載の照明器具。
【請求項５】
前記制御部は、前記設定操作の実行回数が第１規定回数未満である場合、前記初期光色を決定せず、前記設定操作の実行回数が前記第１規定回数以上である場合、前記初期光色を決定する、請求項１から請求項４のいずれか１項に記載の照明器具。
【請求項６】
前記制御部は、前記設定操作の実行回数が第２規定回数を超える場合、前記初期光色を決定せず、前記設定操作の実行回数が前記第２規定回数以下である場合、前記初期光色を決定する、請求項１から請求項５のいずれか１項に記載の照明器具。
【請求項７】
前記制御部は、前記設定操作が実行されたことに応じて、前記光源部から発生する光の光量を周期的に変化させる、請求項１から請求項６のいずれか１項に記載の照明器具。
【請求項８】
前記制御部は、前記設定操作が実行されたことに応じて、前記光源部を点滅させる、請求項１から請求項６のいずれか１項に記載の照明器具。
【発明の詳細な説明】
【技術分野】
【０００１】
本発明は、照明器具に関する。
【背景技術】
【０００２】
電源オン時（点灯開始時）に、前回の電源オフ直前の光色と同じ光色で点灯する照明器具が知られている。例えば、特許文献１には、所定時間以上のオフ期間を経て電源スイッチがオンになった場合に、前回のオフ直前の色温度と同じ色温度で点灯する照明器具が開示されている。
【先行技術文献】
【特許文献】
【０００３】
【特許文献１】特開２０１０−２８２７５７号公報
【発明の概要】
【発明が解決しようとする課題】
【０００４】
しかしながら、特許文献１の照明器具は、点灯開始時の光色を変更できない。したがって、点灯開始時の光色を、ユーザーが所望する光色に設定することができない。
【０００５】
本発明は上記課題に鑑みてなされたものであり、その目的は、点灯開始時の光色を、ユーザーが所望する光色に設定することができる照明器具を提供することにある。
【課題を解決するための手段】
【０００６】
本願に開示する照明器具は、外部スイッチにより点灯及び消灯を切り替え可能である。当該照明器具は、光源部と、記憶部と、制御部とを備える。前記光源部は、互いに光色が異なる複数種類の光を選択的に発生する。前記記憶部は、初期光色を記憶する。前記初期光色は、点灯開始時における前記光源部の光色を示す。前記制御部は、点灯開始時に、前記光源部の光色が前記初期光色となるように前記光源部の点灯状態を制御する。前記制御部は、前記外部スイッチに対して実行された設定操作に応じて、前記複数種類の光の光色のうちから前記初期光色を決定する。
【０００７】
本願に開示する照明器具において、前記制御部は、点灯開始時から第１規定時間経過以後に実行された前記設定操作に応じて前記初期光色を決定してもよい。
【０００８】
本願に開示する照明器具において、前記制御部は、点灯開始時から第２規定時間経過以前に実行された前記設定操作に応じて前記初期光色を決定してもよい。
【０００９】
本願に開示する照明器具において、前記外部スイッチは、前記光源部を点灯させる点灯操作と、前記光源部を消灯させる消灯操作とを受け付ける。前記設定操作は、所定時間内に前記点灯操作と前記消灯操作とが実行される操作であってもよい。
【００１０】
本願に開示する照明器具において、前記制御部は、前記設定操作の実行回数が第１規定回数未満である場合、前記初期光色を決定せず、前記設定操作の実行回数が前記第１規定回数以上である場合、前記初期光色を決定してもよい。
【００１１】
本願に開示する照明器具において、前記制御部は、前記設定操作の実行回数が第２規定回数を超える場合、前記初期光色を決定せず、前記設定操作の実行回数が前記第２規定回数以下である場合、前記初期光色を決定してもよい。
【００１２】
本願に開示する照明器具において、前記制御部は、前記設定操作が実行されたことに応じて、前記光源部から発生する光の光量を周期的に変化させてもよい。
【００１３】
本願に開示する照明器具において、前記制御部は、前記設定操作が実行されたことに応じて、前記光源部を点滅させてもよい。
【発明の効果】
【００１４】
本発明によれば、点灯開始時の光色を、ユーザーが所望する光色に設定することができる。
【図面の簡単な説明】
【００１５】
【図１】本発明の実施形態１に係る照明器具のブロック図である。
【図２】本発明の実施形態１に係る照明器具の制御部が実行する処理を示すフローチャートである。
【図３】本発明の実施形態１に係る照明器具の制御部が実行する決定処理を示すフローチャートである。
【図４】本発明の実施形態１に係る照明器具の模式的な回路図である。
【図５】本発明の実施形態１に係る光色テーブルを示す図である。
【図６】（ａ）〜（ｄ）は、本発明の実施形態１に係る光源部の点灯状態を示すタイムチャートである。
【図７】本発明の実施形態２に係る照明器具の制御部が実行する決定処理を示すフローチャートである。
【図８】本発明の実施形態２に係る照明器具の制御部が実行する決定処理の他例を示すフローチャートである。
【図９】本発明の他の実施形態に係る照明システムのブロック図である。
【発明を実施するための形態】
【００１６】
以下、図面を参照して本発明の実施形態を説明する。ただし、本発明は以下の実施形態に限定されない。なお、説明が重複する箇所については、適宜説明を省略する場合がある。また、図中、同一又は相当部分については同一の参照符号を付して説明を繰り返さない。
【００１７】
［実施形態１］
まず、図１を参照して、本実施形態の照明器具１００を説明する。図１は、本実施形態に係る照明器具１００のブロック図である。
【００１８】
図１に示すように、照明器具１００は、外部スイッチＳを介して、外部の交流電源Ａに接続している。照明器具１００は、交流電源Ａから外部スイッチＳを介して供給される電力に基づいて点灯する。照明器具１００は、一例として、吊下げ灯（例えば、ペンダントライト）、天井直付け灯（例えば、シーリングライト）、埋め込み灯（例えば、ダウンライト）、又は、壁直付け灯（例えば、ブラケットライト）のいずれであってもよい。
【００１９】
外部スイッチＳは、例えば壁スイッチである。ユーザーは、外部スイッチＳを操作して、照明器具１００の点灯及び消灯を切り替えることができる。具体的には、外部スイッチＳがオンになると、交流電源Ａから照明器具１００に電力が供給され、照明器具１００は点灯する。また、外部スイッチＳがオフになると、交流電源Ａから照明器具１００に供給される電力が遮断され、照明器具１００は消灯する。したがって、外部スイッチＳをオンにする操作は、照明器具１００を点灯させる操作であり、外部スイッチＳをオフにする操作は、照明器具１００を消灯させる操作である。以下、外部スイッチＳをオンにする操作を「点灯操作」と記載するとともに、外部スイッチＳをオフにする操作を「消灯操作」と記載する場合がある。
【００２０】
本実施形態の照明器具１００は、整流回路１１０、平滑回路１２０、定電流回路１３０、制御部１４０、記憶部１５０、及び光源部２００を備える。
【００２１】
整流回路１１０は、交流電源Ａから供給された交流電圧を整流する。整流後の交流電圧は、平滑回路１２０及び制御部１４０に入力される。平滑回路１２０は、整流後の交流電圧を平滑化する。したがって、整流回路１１０及び平滑回路１２０により、交流電源Ａから供給された交流電圧が直流電圧に変換される。換言すると、整流回路１１０及び平滑回路１２０は、交流電圧に基づいて直流電圧を生成する。直流電圧は、定電流回路１３０に入力される。定電流回路１３０は、平滑回路１２０から入力された直流電圧に基づいて、定電流を生成する。定電流回路１３０によって生成された定電流は、光源部２００に供給される。
【００２２】
光源部２００は、定電流回路１３０から供給された定電流に基づいて、光を発生する。より具体的には、光源部２００は、互いに光色が異なる複数種類の光を選択的に発生する。換言すると、光源部２００は、光源部２００から発生する光の光色を変化させることができる。本実施形態の光源部２００は、第１光色の光と、第２光色の光と、第３光色の光とを選択的に発生する。換言すると、光源部２００は、第１光色と、第２光色と、第３光色との間で、光色を変化させることができる。第１光色の光は、例えば、相関色温度２７００ケルビン（暖色）の光である。第２光色の光は、例えば、相関色温度３５００ケルビン（中間色）の光である。第３光色の光は、例えば、相関色温度５０００ケルビン（寒色）の光である。詳しくは、光源部２００は、互いに相関色温度が異なる光を発生する複数の光源を有する。複数の光源はそれぞれ１つ又は複数の発光素子を有する。複数の光源から発生する光の混合比を調整することにより、光色を変化させることができる。例えば、光源部２００は、相関色温度２７００ケルビンの光（第１光色の光）を発生する第１光源と、相関色温度５０００ケルビンの光（第３光色の光）を発生する第２光源とを有する。第１光源及び第２光源のうち、第１光源のみを点灯させることにより、第１光色の光が発生する。第１光源及び第２光源を点灯させることにより、第２光色の光が発生する。第１光源及び第２光源のうち、第２光源のみを点灯させることにより、第３光色の光が発生する。
【００２３】
制御部１４０は、定電流回路１３０を制御する。より具体的には、制御部１４０は、所定の一定電流値の電流を生成するように定電流回路１３０を制御する。
【００２４】
また、制御部１４０は、外部スイッチＳに対して実行される切替操作に応じて、光源部２００の点灯状態を制御する。具体的には、制御部１４０は、整流回路１１０から入力された整流後の交流電圧に基づいて、切替操作が実行されたか否かを判定する。制御部１４０は、切替操作が実行されたと判定した場合、光源部２００から発生する光の光色を制御する。
【００２５】
詳しくは、制御部１４０は、切替操作に応じて、光源部２００から発生する光の光色を、予め定められた順序に従って、「第１光色」、「第２光色」、及び「第３光色」のいずれかに切り替える。本実施形態において、制御部１４０は、「第１光色」、「第２光色」、「第３光色」の順に、光源部２００から発生する光の光色を切り替える。光色が「第３光色」の際に切替操作が実行されると、制御部１４０は、光色を「第１光色」に切り替える。
【００２６】
切替操作は、第１所定時間内に消灯操作と点灯操作とが実行される操作を示す。具体的には、切替操作は、外部スイッチＳがオンの状態からオフの状態に切り替えられた後、第１所定時間内に更にオンの状態に切り替えられる操作を示す。第１所定時間は、例えば、０．７秒以上１．５秒以下である。切替操作は、「プルレス操作」と呼ばれることがある。制御部１４０は、例えば、同期信号又はクロック信号のパルス数をカウントすることにより、第１所定時間内に外部スイッチＳがオフの状態からオンの状態に切り替わったか否かを判定する。
【００２７】
制御部１４０は、例えば、マイクロコンピュータを含む。マイクロコンピュータは、例えば、マイクロプロセッサと、少なくも１つの半導体メモリとを有する。半導体メモリは、例えば、ＲＡＭ（Ｒａｎｄｏｍ  Ａｃｃｅｓｓ  Ｍｅｍｏｒｙ）である。
【００２８】
記憶部１５０は、初期光色情報１５１を記憶する。初期光色情報１５１は、照明器具１００（あるいは、光源部２００）の点灯開始時における光源部２００の光色を示す。すなわち、初期光色情報１５１は、点灯開始時に光源部２００から発生する光の光色を示す。制御部１４０は、照明器具１００の点灯開始時に、初期光色情報１５１を参照して、光源部２００の光色が初期光色となるように光源部２００の点灯状態を制御する。すなわち、制御部１４０は、光源部２００から発生する光の光色が初期光色となるように光源部２００の点灯状態を制御する。より具体的には、外部スイッチＳがオフされてから第２所定時間以上を経た後に外部スイッチＳがオンされることにより、光源部２００から初期光色の光が発生する。第２所定時間は、第１所定時間よりも長い時間を示す。第２所定時間は、例えば、４秒である。
【００２９】
記憶部１５０は、例えば、不揮発性メモリを含む。不揮発性メモリは、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）（登録商標）である。
【００３０】
制御部１４０は更に、外部スイッチＳに対して実行される設定操作に応じて、複数種類の光色のうちから初期光色を決定する。ここで、複数種類の光色は、光源部２００から選択的に発生する複数種類の光の光色を示す。より具体的には、制御部１４０は、設定操作に応じて、「第１光色」、「第２光色」、及び「第３光色」のうちから初期光色を決定する。決定した光色が初期光色情報１５１の光色と異なる場合、制御部１４０は、初期光色情報１５１の光色を、決定した光色に変更する。
【００３１】
本実施形態において、設定操作は、照明器具１００の点灯開始時から第１規定時間Ｔ１経過以後であって第２規定時間Ｔ２経過以前に実行される切替操作である。制御部１４０は、タイマー機能を有し、照明器具１００の点灯開始に応じて時間ｔのカウントを開始する。時間ｔは、点灯開始時からの経過時間を示す。以下、時間ｔを「経過時間ｔ」と記載する場合がある。制御部１４０は、経過時間ｔを参照して、照明器具１００の点灯開始時から第１規定時間Ｔ１経過以後であって第２規定時間Ｔ２経過以前に実行される切替操作を「設定操作」と判定する。第１規定時間Ｔ１は、例えば、５秒である。第２規定時間Ｔ２は、例えば、１０秒である。
【００３２】
ここで、初期光色を決定する処理について説明する。本実施形態において、制御部１４０は、設定操作の実行回数ｎに応じて初期光色を決定する。具体的には、制御部１４０は、設定操作の実行回数ｎがＮ１回である場合、初期光色を「第１光色」に決定し、設定操作の実行回数ｎがＮ２回である場合、初期光色を「第２光色」に決定し、設定操作の実行回数ｎがＮ３回である場合、初期光色を「第３光色」に決定する。「Ｎ１」、「Ｎ２」、及び「Ｎ３」は、互いに異なる正の整数を示す。Ｎ１回は、例えば３回である。Ｎ２回は、例えば４回である。Ｎ３回は、例えば５回である。なお、Ｎ１回は第１規定回数の一例であり、Ｎ３回は、第２規定回数の一例である。
【００３３】
続いて図１〜図３を参照して、制御部１４０が実行する処理を説明する。図２は、本実施形態に係る照明器具１００の制御部１４０が実行する処理を示すフローチャートである。図２に示す処理は、電源がオンされることに応じて開始する。具体的には、外部スイッチＳがオフされてから第２所定時間（例えば、４秒）が経過した後に外部スイッチＳがオンされて、交流電源Ａから照明器具１００への電力の供給が開始されることに応じて、図２に示す処理は開始する。なお、図２に示す処理は、外部スイッチＳがオフされてから第２所定時間が経過した後に終了する。
【００３４】
図２に示すように、電源がオンされると、制御部１４０は、定電流回路１３０を作動させて、光源部２００の点灯を開始する（ステップＳ１）。このとき、制御部１４０は、初期光色情報１５１に設定されている初期光色の光が発生するように、光源部２００の点灯状態を制御する。
【００３５】
制御部１４０は、光源部２００の点灯を開始すると、タイマー機能を作動させて、経過時間ｔのカウントを開始する（ステップＳ２）。なお、本実施形態において、制御部１４０は、照明器具１００の点灯開始時から第２規定時間Ｔ２が経過した後に、経過時間ｔのカウントを停止する。また、経過時間ｔのカウント値は、電源がオフされることで、リセットされる。具体的には、外部スイッチＳがオフされてから第２所定時間が経過した後に、経過時間ｔのカウント値はリセットされる。
【００３６】
制御部１４０は、経過時間ｔのカウントを開始すると、切替操作が実行されたか否かを判定する（ステップＳ３）。切替操作が実行されていないと制御部１４０が判定した場合（ステップＳ３のＮｏ）、処理は、ステップＳ３に戻る。制御部１４０は、切替操作が実行されたと判定した場合（ステップＳ３のＹｅｓ）、経過時間ｔが第１規定時間Ｔ１よりも小さいか、又は、経過時間ｔが第２規定時間Ｔ２よりも大きいかを判定する（ステップＳ４）。換言すると、制御部１４０は、経過時間ｔが第１規定時間Ｔ１以上第２規定時間Ｔ２以下であるか否かを判定する。
【００３７】
制御部１４０は、経過時間ｔが第１規定時間Ｔ１よりも小さいと判定した場合、又は、経過時間ｔが第２規定時間Ｔ２よりも大きいと判定した場合（ステップＳ４のＹｅｓ）、光色を切り替える（ステップＳ５）。換言すると、制御部１４０は、経過時間ｔが第１規定時間Ｔ１以上第２規定時間Ｔ２以下でないと判定した場合、光色を切り替える。
【００３８】
具体的には、経過時間ｔが第１規定時間Ｔ１よりも小さい場合、又は、経過時間ｔが第２規定時間Ｔ２よりも大きい場合、ステップＳ３で受け付けた切替操作は通常の切替操作であるため、制御部１４０は、切替操作に応じて光色を切り替える。例えば、現在の光色が「第１光色」である場合、制御部１４０は、光色を「第２光色」に切り替える。
【００３９】
制御部１４０は、経過時間ｔが第１規定時間Ｔ１よりも小さくなく、かつ、経過時間ｔが第２規定時間Ｔ２よりも大きくないと判定した場合（ステップＳ４のＮｏ）、設定操作の実行回数ｎの計数を開始する（ステップＳ６）。換言すると、制御部１４０は、経過時間ｔが第１規定時間Ｔ１以上第２規定時間Ｔ２以下であると判定した場合、設定操作の実行回数ｎの計数を開始する。
【００４０】
具体的には、経過時間ｔが第１規定時間Ｔ１よりも小さくなく、かつ、経過時間ｔが第２規定時間Ｔ２よりも大きくない場合、ステップＳ３で受け付けた切替操作は、照明器具１００の点灯開始時から第１規定時間Ｔ１経過以後であって第２規定時間Ｔ２経過以前に実行された切替操作（設定操作）であるため、制御部１４０は、ステップＳ３で受け付けた切替操作を「１回目の設定操作」と判定し、設定操作の実行回数ｎの計数値を「１」にカウントアップする。なお、本実施形態において、制御部１４０は、設定操作が実行された場合、光色の切り替えを行わない。
【００４１】
制御部１４０は、設定操作の実行回数ｎの計数を開始すると、図３を参照して説明する決定処理を実行する（ステップＳ６）。決定処理は、初期光色を決定する処理である。決定処理が実行された後、処理は、ステップＳ３に戻る。
【００４２】
続いて図３を参照して、決定処理について説明する。図３は、本実施形態に係る照明器具１００の制御部１４０が実行する決定処理を示すフローチャートである。
【００４３】
図３に示すように、制御部１４０は、決定処理を開始すると、切替操作が実行されたか否かを判定する（ステップＳ７１）。制御部１４０は、切替操作が実行されたと判定した場合（ステップＳ７１のＹｅｓ）、設定操作の実行回数ｎの計数値をカウントアップする（ステップＳ７２）。制御部１４０は、設定操作の実行回数ｎの計数値をカウントアップすると、経過時間ｔが第２規定時間Ｔ２よりも大きいか否かを判定する（ステップＳ７３）。また、制御部１４０は、切替操作が実行されていないと判定した場合（ステップＳ７１のＮｏ）、経過時間ｔが第２規定時間Ｔ２よりも大きいか否かを判定する（ステップＳ７３）。
【００４４】
経過時間ｔが第２規定時間Ｔ２よりも大きくないと制御部１４０が判定した場合（ステップＳ７３のＮｏ）、処理は、ステップＳ７１に戻る。すなわち、経過時間ｔが第２規定時間Ｔ２よりも大きくなるまで、ステップＳ７１の処理が繰り返される。この結果、照明器具１００の点灯開始時から第１規定時間Ｔ１経過以後であって第２規定時間Ｔ２経過以前に実行される切替操作（設定操作）の実行回数ｎが計数される。
【００４５】
制御部１４０は、経過時間ｔが第２規定時間Ｔ２よりも大きいと判定した場合（ステップＳ７３のＹｅｓ）、設定操作の実行回数ｎがＮ１回であるか否かを判定する（ステップＳ７４）。制御部１４０は、設定操作の実行回数ｎがＮ１回であると判定した場合（ステップＳ７４のＹｅｓ）、初期光色を「第１光色」に決定する（ステップＳ７５）。そして、制御部１４０は、初期光色情報１５１の光色が「第１光色」であるか否かを判定する。初期光色情報１５１の光色が「第１光色」であると制御部１４０が判定した場合、処理は、図２に示すステップＳ３に戻る。制御部１４０は、初期光色情報１５１の光色が「第１光色」でないと判定した場合、初期光色情報１５１の光色を「第１光色」に変更する。制御部１４０が初期光色情報１５１の光色を「第１光色」に変更すると、処理は、図２に示すステップＳ３に戻る。
【００４６】
制御部１４０は、設定操作の実行回数ｎがＮ１回でないと判定した場合（ステップＳ７４のＮｏ）、設定操作の実行回数ｎがＮ２回であるか否かを判定する（ステップＳ７６）。制御部１４０は、設定操作の実行回数ｎがＮ２回であると判定した場合（ステップＳ７６のＹｅｓ）、初期光色を「第２光色」に決定する（ステップＳ７７）。そして、制御部１４０は、初期光色情報１５１の光色が「第２光色」であるか否かを判定する。初期光色情報１５１の光色が「第２光色」であると制御部１４０が判定した場合、処理は、図２に示すステップＳ３に戻る。制御部１４０は、初期光色情報１５１の光色が「第２光色」でないと判定した場合、初期光色情報１５１の光色を「第２光色」に変更する。制御部１４０が初期光色情報１５１の光色を「第２光色」に変更すると、処理は、図２に示すステップＳ３に戻る。
【００４７】
制御部１４０は、設定操作の実行回数ｎがＮ２回でないと判定した場合（ステップＳ７６のＮｏ）、設定操作の実行回数ｎがＮ３回であるか否かを判定する（ステップＳ７８）。制御部１４０は、設定操作の実行回数ｎがＮ３回であると判定した場合（ステップＳ７８のＹｅｓ）、初期光色を「第３光色」に決定する（ステップＳ７９）。そして、制御部１４０は、初期光色情報１５１の光色が「第３光色」であるか否かを判定する。初期光色情報１５１の光色が「第３光色」であると制御部１４０が判定した場合、処理は、図２に示すステップＳ３に戻る。制御部１４０は、初期光色情報１５１の光色が「第３光色」でないと判定した場合、初期光色情報１５１の光色を「第３光色」に変更する。制御部１４０が初期光色情報１５１の光色を「第３光色」に変更すると、処理は、図２に示すステップＳ３に戻る。
【００４８】
本実施形態では、設定操作の実行回数ｎがＮ３回でないと制御部１４０が判定した場合（ステップＳ７８のＮｏ）、処理は、図２に示すステップＳ３に戻る。換言すると、制御部１４０は、設定操作の実行回数ｎがＮ１回未満（第１規定回数未満）である場合、初期光色を決定しない。また、制御部１４０は、設定操作の実行回数ｎがＮ３回（第２規定回数）を超える場合、初期光色を決定しない。なお、ステップＳ７４、ステップＳ７６、及びステップＳ７８の各処理の実行順序は入れ替え可能である。
【００４９】
以上、図１〜図３を参照して説明したように、本実施形態によれば、初期光色を変更することができる。したがって、点灯開始時の光色を、ユーザーが所望する光色に設定することができる。
【００５０】
また、本実施形態によれば、設定操作は、切替操作と同じ操作である。したがって、ユーザーは、初期光色を設定するために特殊な操作を実行する必要がない。
【００５１】
また、本実施形態によれば、制御部１４０は、照明器具１００の点灯開始時から第１規定時間Ｔ１経過以後であって第２規定時間Ｔ２経過以前に実行された切替操作を設定操作と判定する。したがって、設定操作を受け付ける期間を制限することができる。よって、設定操作と切替操作とが同じ操作であっても、制御部１４０は、設定操作と切替操作とを判別することができる。
【００５２】
また、本実施形態によれば、制御部１４０は、照明器具１００の点灯開始時から第１規定時間Ｔ１経過以後に実行された切替操作に応じて初期光色を決定する。換言すると、制御部１４０は、第１規定時間Ｔ１が経過するよりも前に実行された切替操作に応じて光色を切り替える。したがって、ユーザーは、電源をオンしてからすぐに切替操作（プルレス操作）を行うことにより、光色を切り替えることができる。その結果、ユーザーは、第２規定時間Ｔ２が経過するのを待つことなく、光色を切り替えることができる。
【００５３】
なお、本実施形態において、設定操作は、照明器具１００の点灯開始時から第１規定時間Ｔ１経過以後であって第２規定時間Ｔ２経過以前に実行される切替操作であるが、第１規定時間Ｔ１は省略されてもよい。換言すると、設定操作は、照明器具１００の点灯開始時から第２規定時間Ｔ２経過以前に実行される切替操作であってもよい。第１規定時間Ｔ１が省略されても、設定操作を受け付ける期間を制限することができるため、設定操作と切替操作とが同じ操作であっても、制御部１４０は、設定操作と切替操作とを判別することができる。
【００５４】
続いて図４を参照して、本実施形態の照明器具１００を更に説明する。図４は、本実施形態に係る照明器具１００の模式的な回路図である。まず、図４を参照して、整流回路１１０、平滑回路１２０、記憶部１５０、及び光源部２００を説明する。
【００５５】
図４に示すように、整流回路１１０は、全波整流回路１１１を有する。また、平滑回路１２０は、ダイオード１２１及びコンデンサ１２２を有する。コンデンサ１２２は、例えば、電解コンデンサである。なお、整流回路１１０は、全波整流回路１１１に限定されない。整流回路１１０は、半波整流回路であってもよい。また、平滑回路１２０において、ダイオード１２１は省略されてもよい。
【００５６】
記憶部１５０は、光色テーブル１７０を記憶する。図１を参照して説明した初期光色情報１５１は、光色テーブル１７０に保存される。具体的には、図５を参照して後述するように、光色テーブル１７０に、初期光色情報１５１として、第１設定情報１７２が保存される。
【００５７】
光源部２００は、第１光源２１０と、第２光源２２０とを有する。第１光源２１０は、第１光色の光を発する。第１光源２１０は、１つ又は複数の発光素子２１１を有する。図４は、直列に接続された２つの発光素子２１１を例示している。第２光源２２０は、第３光色の光を発する。第２光源２２０は、１つ又は複数の発光素子２２１を有する。図４は、直列に接続された２つの発光素子２２１を例示している。例えば、第１光源２１０及び第２光源２２０は、発光素子２１１、２２１として、白色ＬＥＤ（Ｌｉｇｈｔ  Ｅｍｉｔｔｉｎｇ  Ｄｉｏｄｅ）を有している。第１光源２１０及び第２光源２２０は、例えば、ＳＭＤ（ｓｕｒｆａｃｅ  ｍｏｕｎｔ  ｄｅｖｉｃｅ）素子、又はＣＯＢ（ｃｈｉｐ  ｏｎ  ｂｏａｒｄ）素子である。
【００５８】
続いて図４を参照して、照明器具１００を更に説明する。図４に示すように、照明器具１００は、スイッチ部１６０を更に備える。スイッチ部１６０は、光源部２００の点灯状態を切り替える。具体的には、スイッチ部１６０は、制御部１４０によって制御されて、光源部２００から発生する光の光色を切り替える。
【００５９】
スイッチ部１６０は、第１スイッチ１６１と、第２スイッチ１６２とを有する。第１スイッチ１６１は、第１光源２１０と直列に接続される。第１スイッチ１６１は、例えば、ＮｃｈＭＯＳＦＥＴである。同様に、第２スイッチ１６２は、第２光源２２０と直列に接続される。第２スイッチ１６２は、例えば、ＮｃｈＭＯＳＦＥＴである。なお、第１スイッチ１６１及び第２スイッチ１６２のいずれも、ＮｃｈＭＯＳＦＥＴに限定されない。第１スイッチ１６１及び第２スイッチ１６２は、例えば、ＰｃｈＭＯＳＦＥＴであってもよい。
【００６０】
制御部１４０は、第１スイッチ１６１及び第２スイッチ１６２を制御する。具体的には、光源部２００から第１光色の光を発生させる場合、制御部１４０は、第１スイッチ１６１をオン状態にし、第２スイッチ１６２をオフ状態にする。この結果、第１光源２１０と第２光源２２０とのうち、第１光源２１０にのみ定電流が供給されて、第１光源２１０が点灯し、第２光源２２０が消灯して、第１光色の光が光源部２００から発生する。また、光源部２００から第３光色の光を発生させる場合、制御部１４０は、第１スイッチ１６１をオフ状態にし、第２スイッチ１６２をオン状態にする。この結果、第１光源２１０と第２光源２２０とのうち、第２光源２２０にのみ定電流が供給されて、第２光源２２０が点灯し、第１光源２１０が消灯して、第３光色の光が光源部２００から発生する。
【００６１】
制御部１４０は、光源部２００から第２光色の光を発生させる場合、第１光源２１０と第２光源２２０とが所定の周期で交互に点灯するように、第１スイッチ１６１及び第２スイッチ１６２を制御する。具体的には、制御部１４０は、第１スイッチ１６１及び第２スイッチ１６２を所定の周期で交互にオン状態にする。この結果、第１光源２１０と第２光源２２０とに定電流が交互に供給されて、第１光源２１０と第２光源２２０とが交互に点灯する。この場合、人間の目には、照明器具１００が、第１光色と第２光色との中間色の光を発しているように見える。
【００６２】
続いて図４、及び図５を参照して、光色テーブル１７０を説明する。図５は、本実施形態に係る光色テーブル１７０を示す図である。
【００６３】
図５に示すように、光色テーブル１７０に、光色情報１７１と、第１設定情報１７２とが保存される。光色テーブル１７０は、光色情報１７１と第１設定情報１７２とを関連付ける。第１設定情報１７２は、初期光色情報１５１に対応する。
【００６４】
光色情報１７１は、「第１光色」、「第２光色」、及び「第３光色」を示す。第１設定情報１７２は、初期光色を示す。具体的には、第１設定情報１７２は、「第１光色」、「第２光色」、及び「第３光色」の各々に関連付けられた３つの第１フラグを含む。３つの第１フラグのうち、初期光色に設定された光色に関連付けられている第１フラグがオン状態（例えば、「１」）となり、それ以外の第１フラグがオフ状態（例えば、「０」）となる。すなわち、制御部１４０は、初期光色に設定された光色に関連付けられている第１フラグをオン状態にする。したがって、設定操作が実行されることに応じて、オン状態となる第１フラグが変化する。例えば、制御部１４０は、設定操作が３回実行されると、第１光色に関連付けられている第１フラグをオン状態にし、それ以外の第１フラグをオフ状態にする。図５は、第２光色が初期光色に設定されていることを例示している。
【００６５】
また、光色テーブル１７０には、第２設定情報１７３が更に保存される。光色テーブル１７０は、光色情報１７１と第２設定情報１７３とを更に関連付ける。第２設定情報１７３は、現在の光色を示す。具体的には、第２設定情報１７３は、「第１光色」、「第２光色」、及び「第３光色」の各々に関連付けられた３つの第２フラグを含む。３つの第２フラグのうち、現在の光色に関連付けられている第２フラグがオン状態（例えば、「１」）となり、それ以外の第２フラグがオフ状態（例えば、「０」）となる。すなわち、制御部１４０は、現在の光色に関連付けられているフラグをオン状態にする。したがって、切替操作が実行されることに応じて、オン状態となる第２フラグが変化する。図５は、第３光色が現在の光色であることを例示している。
【００６６】
続いて図４、及び図６（ａ）〜図６（ｄ）を参照して、本実施形態の光源部２００の点灯状態を説明する。図６（ａ）〜図６（ｄ）は、本実施形態に係る光源部２００の点灯状態を示すタイムチャートである。詳しくは、図６（ａ）は、第１光色期間における第１光源２１０及び第２光源２２０の点灯状態を示す。第１光色期間は、光源部２００から第１光色の光が発生している期間を示す。図６（ｂ）は、第３光色期間における第１光源２１０及び第２光源２２０の点灯状態を示す。第３光色期間は、光源部２００から第３光色の光が発生している期間を示す。図６（ｃ）は、第２光色期間における第１光源２１０及び第２光源２２０の点灯状態を示す。第２光色期間は、光源部２００から第２光色の光が発生している期間を示す。図６（ｄ）は、図６（ｃ）の一部拡大図である。
【００６７】
図６（ａ）に示すように、光源部２００から第１光色の光が発生している期間において、第１光源２１０は点灯し、第２光源２２０は消灯している。図６（ｂ）に示すように、光源部２００から第３光色の光が発生している期間において、第１光源２１０は消灯し、第２光源２２０は点灯している。
【００６８】
図６（ｃ）に示すように、光源部２００から第２光色の光が発生している期間において、第１光源２１０及び第２光源２２０は交互に点灯する。詳しくは、図６（ｃ）及び図６（ｄ）に示すように、本実施形態において、第２光色期間は、第１単色期間Ｔ１１と、重複期間Ｔｗと、第２単色期間Ｔ１２とを含む。第１単色期間Ｔ１１は、第１光源２１０が点灯し、第２光源２２０が消灯する期間を示す。重複期間Ｔｗは、第１光源２１０及び第２光源２２０の両方が点灯する期間を示す。第２単色期間Ｔ１２は、第１光源２１０が消灯し、第２光源２２０が点灯する期間を示す。
【００６９】
制御部１４０は、光源部２００から第２光色の光を発生させる場合、第１単色期間Ｔ１１と、重複期間Ｔｗと、第２単色期間Ｔ１２とが順次切り替わるように、第１スイッチ１６１及び第２スイッチ１６２を制御する。具体的には、制御部１４０は、「第１単色期間Ｔ１１」、「重複期間Ｔｗ」、「第２単色期間Ｔ１２」の順序で、第１単色期間Ｔ１１と、重複期間Ｔｗと、第２単色期間Ｔ１２とが繰り返されるように、第１スイッチ１６１及び第２スイッチ１６２を制御する。
【００７０】
本実施形態によれば、第２光色期間において、第１光源２１０及び第２光源２２０の両方が消灯する期間が発生し難くなる。したがって、照明器具１００の照明下において撮像装置で撮像する場合でも、フリッカーを抑制できる。
【００７１】
以上、図１〜図５、及び図６（ａ）〜図６（ｄ）を参照して、本発明の実施形態１を説明した。なお、本実施形態において、制御部１４０は、設定操作が実行された場合、光色を切り替えなかったが、制御部１４０は、設定操作（切替操作）に応じて光色を切り替えてもよい。
【００７２】
［実施形態２］
続いて図１、図７、及び図８を参照して、本発明の実施形態２について説明する。但し、実施形態１と異なる事項を説明し、実施形態１と同じ事項についての説明は割愛する。実施形態２は、決定処理の実行時における光源部２００の点灯状態が実施形態１と異なる。
【００７３】
図７は、本実施形態に係る照明器具１００の制御部１４０が実行する決定処理を示すフローチャートである。なお、図７において、図３を参照して説明したステップＳ７４〜ステップＳ７９は省略されている。図７に示す決定処理は、ステップＳ８１及びステップＳ８２が追加されている点で、図３を参照して説明した決定処理と異なる。
【００７４】
図７に示すように、制御部１４０は、決定処理を開始すると、光源部２００から発生する光の明滅を開始する（ステップＳ８１）。詳しくは、制御部１４０は、定電流回路１３０を制御して、光源部２００へ供給される定電流の電流値を周期的に変化させる。この結果、光源部２００から発生する光の光量が周期的に変化して、光源部２００から発生する光が明滅する。換言すると、光源部２００（照明器具１００）から発生する光が、明るくなったり暗くなったりする。
【００７５】
制御部１４０は、経過時間ｔが第２規定時間Ｔ２よりも大きいと判定した場合（ステップＳ７３のＹｅｓ）、光源部２００から発生する光の明滅を終了させる（ステップＳ８２）。詳しくは、制御部１４０は、光源部２００へ供給される定電流の電流値が所定の一定値となるように、定電流回路１３０を制御する。この結果、光源部２００から発生する光の光量が一定となり、光源部２００から発生する光は明滅しなくなる。制御部１４０は、光源部２００から発生する光の明滅を終了させると、図３を参照して説明したように、設定操作の実行回数ｎがＮ１回であるか否かを判定する（ステップＳ７４）。
【００７６】
続いて図１及び図８を参照して、本実施形態の決定処理の他例を説明する。図８は、本実施形態に係る照明器具１００の制御部１４０が実行する決定処理の他例を示すフローチャートである。図７に示す決定処理では、光源部２００から発生する光は、経過時間ｔが第２規定時間Ｔ２よりも大きくなるまで明滅を繰り返したが、図８に示す決定処理では、設定操作の実行回数ｎに応じた回数だけ光が明滅する。なお、図８において、図３を参照して説明したステップＳ７４〜ステップＳ７９は省略されている。図８に示す決定処理は、ステップＳ９１及びステップＳ９２が追加されている点で、図３を参照して説明した決定処理と異なる。
【００７７】
図８に示すように、制御部１４０は、決定処理を開始すると、光源部２００から発生する光を１回明滅させる処理を開始する（ステップＳ９１）。詳しくは、制御部１４０は、設定操作の実行回数ｎの計数値に応じた回数だけ光を明滅させる。図２を参照して説明したように、決定処理の開始時に、設定操作の実行回数ｎの計数値は「１」であるため、制御部１４０は、決定処理を開始すると、光源部２００から発生する光を１回明滅させる。
【００７８】
制御部１４０は、設定操作の実行回数ｎの計数値をカウントアップすると（ステップＳ７２）、設定操作の実行回数ｎの計数値に応じた回数だけ光を明滅させる処理を開始する（ステップＳ９２）。そして、経過時間ｔが第２規定時間Ｔ２よりも大きいか否かを判定する（ステップＳ７３）。
【００７９】
以上、図１、図７、及び図８を参照して本発明の実施形態２を説明した。本実施形態によれば、設定操作が実行されると、光源部２００（照明器具１００）から発生する光が明滅する。したがって、光の明滅によって、ユーザーに、初期光色の設定（設定操作）を受け付けていることを報知することができる。
【００８０】
なお、本実施形態において、制御部１４０は、設定操作が実行されたことに応じて、光源部２００から発生する光の光量を周期的に変化させたが、制御部１４０は、設定操作が実行されたことに応じて、光源部２００を周期的に点滅させてもよい。すなわち、制御部１４０は、光源部２００から発生する光を周期的に点滅させてもよい。具体的には、設定操作が実行されると、光源部２００が周期的に点灯と消灯とを繰り返してもよい。
【００８１】
また、本実施形態において、制御部１４０は、決定処理を開始すると、光源部２００から発生する光の光量を周期的に変化させたが、制御部１４０は、初期光色を決定する際に、光源部２００から発生する光の光量を周期的に変化させてもよい。あるいは、制御部１４０は、初期光色を決定する際に、光源部２００から発生する光を点滅させてもよい。具体的には、制御部１４０は、図３を参照して説明したステップＳ７４、ステップＳ７６、又はステップＳ７８の処理の後に、光源部２００から発生する光を明滅又は点滅させてもよい。初期光色を決定する際に、光源部２００から発生する光を明滅又は点滅させることにより、初期光色の設定が完了したことをユーザーに報知することができる。
【００８２】
以上、本発明の実施形態について図面を参照しながら説明した。但し、本発明は、上記の実施形態に限られるものではなく、その要旨を逸脱しない範囲で種々の態様において実施することが可能である。
【００８３】
例えば、本発明の実施形態において、１つの外部スイッチＳに１つの照明器具１００が接続される構成を説明したが、図９に示すように、１つの外部スイッチＳに複数の照明器具１００が接続されてもよい。図９は、本発明の他の実施形態に係る照明システム３００のブロック図である。図９は、１つの外部スイッチＳに３つの照明器具１００が接続されている構成を例示しているが、１つの外部スイッチＳに接続される照明器具１００の数は、２つであってもよいし、４つ以上であってもよい。
【００８４】
また、本発明の実施形態では、設定操作を受け付ける期間が制限されたが、設定操作を受け付ける期間は制限されなくてもよい。例えば、設定操作の実行間隔が制限されてもよい。制御部１４０は、例えば、照明器具１００の点灯開始時から第１規定時間Ｔ１経過以後に実行された切替操作を１回目の設定操作と判定し、１回目の設定操作の実行時から所定時間が経過する前に実行される切替操作を２回目の設定操作と判定してもよい。この場合、制御部１４０は、１回目の設定操作の実行時から所定時間が経過するまでの間に切替操作が実行されなければ、設定操作が１回だけ実行されたと判定する。
【００８５】
また、本発明の実施形態において、設定操作は、照明器具１００の点灯開始時から第１規定時間Ｔ１経過以後であって第２規定時間Ｔ２経過以前に実行される切替操作であったが、設定操作は、切替操作に限定されない。例えば、設定操作は、切替操作に対して設定されている第１所定時間（例えば、０．７秒以上１．５秒以下）とは異なる所定時間内に、消灯操作と点灯操作とが実行される操作であってもよい。例えば、設定操作は、外部スイッチＳがオンの状態からオフの状態に切り替えられた後、１．６秒以上２秒以下の時間内に更にオンの状態に切り替えられる操作であってもよい。設定操作が切替操作と異なる操作である場合、設定操作を受け付ける期間は制限されなくてもよい。
【００８６】
また、本発明の実施形態において、光源部２００は、光色が異なる３種類の光（第１光色の光、第２光色の光、及び第３光色の光）を選択的に発生したが、光源部２００は、光色が異なる２種類の光、あるいは、光色が異なる４種類以上の光を選択的に発生してもよい。例えば、光源部２００は、相関色温度２７００ケルビン（暖色）の光と、相関色温度５０００ケルビン（寒色）の光とを選択的に発生してもよい。
【００８７】
また、本発明の実施形態において、初期光色情報１５１は、点灯開始時に光源部２００が発生する光の光色を示したが、初期光色情報１５１は、点灯開始時に光源部２００が発生する光の相関色温度を示してもよい。
【００８８】
また、本発明の実施形態において、初期光色情報１５１及び光色テーブル１７０は記憶部１５０に記憶されたが、初期光色情報１５１及び光色テーブル１７０は、制御部１４０のメモリ（記憶部）に記憶されてもよい。この場合、記憶部１５０は、省略されてもよい。
【００８９】
また、本発明の実施形態において、制御部１４０は、設定操作の実行回数ｎがＮ１回未満（第１規定回数未満）である場合、初期光色を決定しなかったが、制御部１４０は、設定操作の実行回数ｎがＮ１回未満（第１規定回数未満）である場合に初期光色を決定してもよい。例えば、制御部１４０は、設定操作の実行回数ｎがＮ１回未満（第１規定回数未満）である場合、初期光色を「第１光色」に決定してもよい。換言すると、制御部１４０は、設定操作の実行回数ｎがＮ１回以下である場合に、初期光色を「第１光色」に決定してもよい。
【００９０】
また、本発明の実施形態において、制御部１４０は、設定操作の実行回数ｎがＮ３回（第２規定回数）を超える場合、初期光色を決定しなかったが、制御部１４０は、設定操作の実行回数ｎがＮ３回（第２規定回数）を超える場合に初期光色を決定してもよい。例えば、制御部１４０は、設定操作の実行回数ｎがＮ３回（第２規定回数）を超える場合、初期光色を「第３光色」に決定してもよい。換言すると、制御部１４０は、設定操作の実行回数ｎがＮ３回以上である場合に、初期光色を「第３光色」に決定してもよい。
【産業上の利用可能性】
【００９１】
本発明は、照明器具の分野に有用である。
【符号の説明】
【００９２】
１００    照明器具
１４０    制御部
１５０    記憶部
１５１    初期光色情報（初期光色）
２００    光源部
Ａ        交流電源
Ｓ        外部スイッチ
Ｔ１      第１規定時間
Ｔ２      第２規定時間
ｎ        実行回数
ｔ        経過時間
【図１】
2020187823.tif 000003
【図２】
2020187823.tif 000004
【図３】
2020187823.tif 000005
【図４】
2020187823.tif 000006
【図５】
2020187823.tif 000007
【図６】
2020187823.tif 000008
【図７】
2020187823.tif 000009
【図８】
2020187823.tif 000010
【図９】
2020187823.tif 000011